(57)【要約】【課題】剛性が大きく、施工にあたってスクリューネイル等を使用することができることに加え、釘の効きがよく、安価な建築用構造材を提供する。【解決手段】薄板鋼材２と、薄板鋼材２の内部に、薄板鋼材２と一体的に設けた木材３、４とを備える建築用構造材１。または、複数の薄板鋼材１２と、複数の薄板鋼材１２との間に、複数の薄板鋼材１２と一体的に介装された木材１３とを備える建築用構造材１１。薄板鋼材２、１２には溝形鋼を、木材３、４、１３には構造用合板または構造用製材を用いることができる。薄板鋼材２、１２と木材３、４、１３とは、ねじ５、６、１４または釘によって接合することができる。【選択図】　図１
2004068399.tif 000002
【特許請求の範囲】
【請求項１】
薄板鋼材と、
該薄板鋼材の内部に、該薄板鋼材と一体的に設けた木材とを備えることを特徴とする建築用構造材。
【請求項２】
複数の薄板鋼材と、
該複数の薄板鋼材との間に、該複数の該薄板鋼材と一体的に介装された木材とを備えることを特徴とする建築用構造材。
【請求項３】
前記薄板鋼材は、溝形鋼であることを特徴とする請求項１または２記載の建築用構造材。
【請求項４】
前記木材は、構造用合板または構造用製材であることを特徴とする請求項１、２または３記載の建築用構造材。
【請求項５】
前記薄板鋼材と前記木材とは、ねじまたは釘によって接合されることを特徴とする請求項１乃至４のいずれかに記載の建築用構造材。
【発明の詳細な説明】
【０００１】
【発明の属する技術分野】
本発明は、建築用構造材に関し、特に、鋼材を主材とし、スチールハウス等に用いられる建築用構造材に関する。
【０００２】
【従来の技術】
従来の木造在来工法では、柱等の垂直材、梁等の水平材、及び耐力壁等を構造材として組み立てるのが一般的であったが、現場における仕口等の加工やプレカットが多いため、工数が増加し、木造住宅等の製造コストが高騰する要因となっていた。
【０００３】
そこで、本出願人は、特願２００１−６８５２５号において、薄板鋼材を断面角型状に形成して表面材とし、この表面材に合成樹脂の弾性体を充填した柱部材や横架材等の建築用構造材を提案した。
【０００４】
【発明が解決しようとする課題】
しかし、特願２００１−６８５２５号において提案した建築用構造材は、剛性が大きくなり、施工にあたってスクリューネイル等を使用することができて工期を短縮することができる等の特長を有するものの、表面材としての薄板鋼材の内部に発泡スチロール等の合成樹脂を発泡させ、薄板鋼材と合成樹脂とを一体形成する必要があるため、製造コストが高くなり、ひいては、木造住宅等の製造コストが増大するという問題があった。また、発泡スチロール等の合成樹脂にスクリューネイルを打ち込んだ場合には、釘の効きがあまくなるという問題もあった。
【０００５】
そこで、本発明は、上記従来の建築用構造材における問題点に鑑みてなされたものであって、剛性が大きく、施工にあたってスクリューネイル等を使用することができることに加え、釘の効きがよく、安価な建築用構造材を提供することを目的とする。
【０００６】
【課題を解決するための手段】
上記目的を達成するため、本発明は、建築用構造材であって、薄板鋼材と、該薄板鋼材の内部に、該薄板鋼材と一体的に設けた木材とを備えることを特徴とする。
【０００７】
また、本発明は、建築用構造材であって、複数の薄板鋼材と、該複数の薄板鋼材との間に、該複数の該薄板鋼材と一体的に介装された木材とを備えることを特徴とする。
【０００８】
そして、本発明によれば、薄板鋼材の内部、または複数の薄板鋼材との間に木材を一体に設けたため、薄板鋼材のみの場合に比較して剛性が大きくなるとともに、従来のスチールハウス等の施工にあたってドリリングタッピンねじしか使用できなかったものが、スクリューネイル等を使用することができて工期を大幅に短縮することができるとともに、木材を用いるため、発泡スチロール等の合成樹脂を使用する場合に比較して、釘の効きがよく、材料費も安価となり、さらに、薄板鋼材と木材を一体形成する必要がないため、容易に製造することができ、製造コストの低い建築用構造材を提供することができる。
【０００９】
上記薄板鋼材には、溝形鋼を使用することができ、木材には、構造用合板または構造用製材を使用することができる。これによって、スチールハウスに好適な建築用構造材を得ることができる。薄板鋼材と木材とは、ねじまたは釘によって接合することができる。
【００１０】
【発明の実施の形態】
次に、本発明の実施の形態について図面を参照しながら説明する。
【００１１】
図１は、本発明にかかる建築用構造材の一実施の形態を示し、この建築用構造材１は、溝形鋼２（２Ａ、２Ｂ）を略々箱型になるように組み合わせ、その内部に構造用合板３（３Ａ、３Ｂ）と、構造用製材４とを組み込んで構成され、同図の紙面の前後方向に延びる長尺の建築用構造材である。溝形鋼２と構造用合板３とは、ドリリングタッピンねじ５（５Ａ〜５Ｄ）またはスクリューネイルで結合され、構造用合板３と構造用製材４とも、ドリリングタッピンねじ６（６Ａ、６Ｂ）で結合される。尚、構造用製材４の高さ等各部の寸法については、使用目的、場所等によって適宜変更する。
【００１２】
図２は、本発明にかかる建築用構造材のもう一つの実施の形態を示し、この建築用構造材１１は、相対向する溝形鋼１２（１２Ａ、１２Ｂ）間に、構造用合板１３を介装して構成され、同図の紙面の前後方向に延びる長尺の建築用構造材である。溝形鋼１２と構造用合板１３とは、ドリリングタッピンねじ１４（１４Ａ、１４Ｂ）またはスクリューネイルで結合される。尚、構造用合板１３の高さ等各部の寸法については、使用目的、場所等によって適宜変更する。
【００１３】
これらの建築用構造材１、１１は、スチールハウス等の柱部材、土台、胴差、桁等の横架材、根太、たる木、たて枠等に使用することができる。
【００１４】
例えば、建築用構造材１を梁に用いてＴ字接合する場合には、図３に示すように、２本の建築用構造材１に接合金物２１を用いてボルト２２で接合することができる。また、図４に示すように、建築用構造材１と建築用構造材１１とを梁に用いてＴ字接合することもでき、この場合でも、接合金物２１とボルト２２によって接合することができる。Ｌ字接合、Ｉ字接合についても、同様に、接合金物とボルトによって接合することができる。
【００１５】
また、図５は、耐力壁の上下の緊結要領を示すものであって、建築用構造材１を、床梁１Ａ、１Ｂ、胴差１Ｃ、１Ｄ、桁１Ｅ、１Ｆに使用している。
【００１６】
基礎３１上に基礎パッキン３２、土台３３を載設し、その上に、基礎３１に埋め込まれたアンカーボルト３４に穴部を挿通した床梁１Ａ、１Ｂ及び床下地材３８を敷設して座金３５及びダブルナット３６（３６Ａ、３６Ｂ）で締め付ける。
【００１７】
また、長ナット４２に１階用軸ボルト４４をねじ込み、壁パネル縦枠４３と一体の壁パネル下枠３７及び上枠３９を貫通させて、長ナット４２を座金４０及びスプリングワッシャ４１を介して、壁パネル下枠３７でアンカーボルト３４に締め付ける。
【００１８】
さらに、胴差１Ｃ、１Ｄ及び床下地材４５を貫通した１階用軸ボルト４４を、２階の壁パネル縦枠５０と一体の下枠４６において、座金４７及びスプリングワッシャ４８を介して長ナット４９で締め付ける。次に、２階用軸ボルト５１を長ナット４９にねじ込み、壁パネル上枠５２及び桁１Ｆを貫通させて、桁１Ｆ上で座金５３及びダブルナット５４（５４Ａ、５４Ｂ）で締め付ける。これによって、基礎から最上階の耐力壁上部までを軸ボルトによって直結し、建物の転倒、引き抜きを防止している。
【００１９】
次に、建築用構造材１１を棟木と小屋束に用いた場合の棟木とたる木、及びたる木同士の接合要領について、図６を参照しながら説明する。
【００２０】
棟木１１Ａと小屋束１１Ｂとは、接合金物６０を介してドリリングタッピンねじ６１またはスクリューネイルによって接合される。また、棟木１１Ａとたる木６２、６３とは、ドリリングタッピンねじ７０で緊結する。たる木６２、６３同士の接合は、たる木つなぎ６４を介してドリリングタッピンねじ６５で緊結する。屋根下地材６６、６７には、構造用合板を用い、接合プレート６８にドリリングタッピンねじ６９で接合する。
【００２１】
【発明の効果】
以上説明したように、本発明によれば、剛性が大きく、施工にあたってスクリューネイル等を使用することができることに加え、釘の効きがよく、安価な建築用構造材を提供することができる。
【図面の簡単な説明】
【図１】本発明にかかる建築用構造材の一実施の形態を示す横断面図である。
【図２】本発明にかかる建築用構造材のもう一つの実施の形態を示す横断面図である。
【図３】本発明にかかる建築用構造材を用いた梁同士の接合要領の一例を示す斜視図である。
【図４】本発明にかかる建築用構造材を用いた梁同士の接合要領の一例を示す斜視図である。
【図５】本発明にかかる建築用構造材を床梁、胴差及び桁に用いた場合の耐力壁の上下の緊結要領の一例を示す一部破断斜視図である。
【図６】本発明にかかる建築用構造材を棟木及び小屋束に用いた場合の棟木とたる木、及びたる木同士の接合要領の一例を示す正面図である。
【符号の説明】
１　　　　　　建築用構造材
１Ａ　　　　床梁
１Ｂ　　　　床梁
１Ｃ　　　　胴差
１Ｄ　　　　胴差
１Ｅ　　　　桁
１Ｆ　　　　桁
２（２Ａ、２Ｂ）　　　　　　溝形鋼
３（３Ａ、３Ｂ）　　　　　　構造用合板
４　　　　　　構造用製材
５（５Ａ〜５Ｄ）　　　　　　ドリリングタッピンねじ
１１　　　　建築用構造材
１１Ａ　　棟木
１１Ｂ　　小屋束
１２（１２Ａ、１２Ｂ）　　溝形鋼
１３　　　　構造用合板
１４（１４Ａ、１４Ｂ）　　ドリリングタッピンねじ
２１　　　　接合金物
２２　　　　ボルト
３１　　　　基礎
３２　　　　基礎パッキン
３３　　　　土台
３４　　　　アンカーボルト
３５　　　　座金
３６（３６Ａ、３６Ｂ）　　ダブルナット
３７　　　　壁パネル下枠
３８　　　　床下地材
３９　　　　壁パネル上枠
４０　　　　座金
４１　　　　スプリングワッシャ
４２　　　　長ナット
４３　　　　壁パネル縦枠
４４　　　　１階用軸ボルト
４５　　　　床下地材
４６　　　　壁パネル下枠
４７　　　　座金
４８　　　　スプリングワッシャ
４９　　　　長ナット
５０　　　　壁パネル縦枠
５１　　　　２階用軸ボルト
５２　　　　壁パネル上枠
５３　　　　座金
５４（５４Ａ、５４Ｂ）　　ダブルナット
６０　　　　接合金物
６１　　　　ドリリングタッピンねじ
６２　　　　たる木
６３　　　　たる木
６４　　　　たる木つなぎ
６５　　　　ドリリングタッピンねじ
６６　　　　屋根下地材
６７　　　　屋根下地材
６８　　　　接合プレート
６９　　　　ドリリングタッピンねじ
７０　　　　ドリリングタッピンねじ
【図１】
2004068399.tif 000003
【図２】
2004068399.tif 000004
【図３】
2004068399.tif 000005
【図４】
2004068399.tif 000006
【図５】
2004068399.tif 000007
【図６】
2004068399.tif 000008